(57)【要約】  【課題】  簡単な構造で、開閉弁を開閉することができるようにした管継手を提供する。【解決手段】雄型継手部材１４が、半径方向内側位置とされた上記施錠子２６を受け入れ、当該雄型継手部材１４が雌型継手部材１２の連結用孔１８から抜け出ないようにする係合凹部４０を有しており、該係合凹部が、当該雄型継手部材の軸線方向に所定距離だけ伸び、当該雄型継手部材が同軸線方向で、上記開閉弁１６を開く開放位置と、同弁が閉じられるようにする閉止位置との間で可動とした。【選択図】  図３ 
2005024085.tif 000002
【特許請求の範囲】
【請求項１】
雌型継手部材と、
雄型継手部材と、
を有し、
雌型継手部材は、
雄型継手部材を挿入連結するための連結用孔、及び、該連結用孔に連通された流体通路を有する雌型本体であって、連結用孔の周壁に半径方向に設けられた貫通孔を有し、該孔内において半径方向内側位置と、半径方向外側位置との間で可動とされた施錠子を有する雌型本体と、
該雌型本体の周囲に可動にして設けられたスリーブであって、上記施錠子と係合し、該施錠子を上記半径方向内側位置とする第1の位置と、上記施錠子が上記半径方向外側位置となるのを許容する第2の位置との間で可動とされたスリーブと、
上記流体通路内に設定され、該流体通路の開閉を行う開閉弁と
を有し、
雄型継手部材は、
上記スリーブが上記第2の位置にあるときに、上記雌型継手部材の上記連結用孔に対する挿入、引抜ができるようにされており、当該雄型継手部材が上記連結用孔内に挿入されて上記スリーブが上記第1の位置とされたときに、上記半径方向内側位置とされる上記施錠子を受け入れ、当該雄型継手部材が雌型継手部材の連結用孔から抜け出ないようにする係合凹部を有しており、
該係合凹部は、当該雄型継手部材の軸線方向に所定距離だけ伸び、上記施錠子を上記係合凹部に受け入れた状態で、当該雄型継手部材が同軸線方向に移動し、上記開閉弁を開く開放位置と、同弁が閉じられるようにする閉止位置との間で可動とした
ことを特徴とする管継手。
【請求項２】
上記開閉弁が、
上記流体通路内に形成された弁座と、
該弁座に係合・係合解除されて当該開閉弁の開閉を行う弁体と、
該弁体を弁座に押圧するよう付勢するバネと
を有しており、
上記雄型継手部材は、上記弁体を介して上記バネにより上記閉止位置とされ、同バネに抗して上記開放位置に可動なるようにされている
ことを特徴とする請求項１に記載の管継手。
【発明の詳細な説明】
【技術分野】
【０００１】
本発明は、管継手に関し、特に、雄型継手部材を雌型継手部材に対して軸線方向で動かすことにより、内部に設けられている開閉弁を開閉操作することができるようにした管継手に関する。
【背景技術】
【０００２】
雌型継手部材（ソケット）及び雄型継手部材（プラグ）を連結した状態において、両継手部材の相対的位置を変えることにより、内部に設定されている開閉弁の開閉を調整するようにした管継手が知られている（例えば、特許文献１）。
すなわち、この管継手においては、雄型継手部材を雌型継手部材に対して相対的に回動し、所定の角度位置にしてその位置に保持することにより、開閉弁の開度を調節し一定に保つものである。
【特許文献１】実開昭５１−１４８７２３号
【発明の開示】
【発明が解決しようとする課題】
【０００３】
本発明は、構造が簡単で、必要なときに力を入れて開閉弁を開き、該力を無くした時には、同開閉弁が自動的に閉じるようにした管継手を提供することを目的とする。
【課題を解決するための手段】
【０００４】
すなわち、本発明は、
雌型継手部材と、雄型継手部材とを有する管継手において、
雌型継手部材が、
雄型継手部材を挿入連結するための連結用孔、及び、該連結用孔に連通された流体通路を有する雌型本体であって、連結用孔の周壁に半径方向に設けられた貫通孔を有し、該孔内において半径方向内側位置と、半径方向外側位置との間で可動とされた施錠子を有する雌型本体と、
該雌型本体の周囲に可動にして設けられたスリーブであって、上記施錠子を上記半径方向内側位置とする第1の位置と、上記施錠子が上記半径方向外側位置となるのを許容する第2の位置との間で可動とされたスリーブと、
上記流体通路内に設定され、該流体通路の開閉を行う開閉弁と
を有し、
雄型継手部材は、
上記スリーブが上記第2の位置にあるときに、上記雌型継手部材の上記連結用孔に対する挿入、引抜ができるようにされており、当該雄型継手部材が上記連結用孔内に挿入されて上記スリーブが上記第1の位置とされたときに、上記半径方向内側位置とされる上記施錠子を受け入れ、当該雄型継手部材が雌型継手部材の連結用孔から抜け出ないようにする係合凹部を有しており、
該係合凹部は、当該雄型継手部材の軸線方向に所定距離だけ伸び、上記施錠子を上記係合凹部に受け入れた状態で、当該雄型継手部材が同軸線方向に移動し、上記開閉弁を開く開放位置と、同弁が閉じられるようにする閉止位置との間で可動としたことを特徴とする管継手を提供する。
すなわち、この管継手においては、雄型継手部材及び雌型継手部材が挿入連結された状態において、作業者が雄型継手部材を上記開放位置及び閉止位置に動かすことにより、開閉弁を開閉できる。
【０００５】
具体的には、上記開閉弁が、
上記流体通路内に形成された弁座と、
該弁座に係合・係合解除されて当該開閉弁の開閉を行う弁体と、
該弁体を弁座に押圧するよう付勢するバネと
を有しており、
上記雄型継手部材は、上記体弁体を介して上記バネにより上記閉止位置とされ、同バネに抗して上記開放位置に可動なるようにすることができる。
このようにすることにより、作業者が雄型継手部材に対する力を無くせば、雄型継手部材は閉止位置に戻り、開閉弁は自動的に閉じられることになる。
【発明を実施するための最良の形態】
【０００６】
以下、本発明に係る管継手の実施形態を添付図面に基づき説明する。
図１は、本発明に係る管継手１０の雌型継手部材１２と雄型継手部材１４とが分離されている状態、図２は同雌型継手部材１２及び雄型継手部材１４が連結され、開閉弁１６が閉じられている状態、図３は、図２と類似するが開閉弁が開かれた状態を示している。
【０００７】
雌型継手部材１２は、雄型継手部材１４を挿入連結するための連結用孔１８、及び、該連結用孔に連通され、端部にホース等の流体導管Ｈ（図２、図３）が接続される流体通路２０を有する雌型本体を有する。連結用孔１８の周壁には半径方向に延びる貫通孔２２が、周方向で相互に所定間隔あけて所定個数だけ設けられており、該孔内には（図示の）半径方向内側位置と、該位置よりも半径方向外側の位置との間で可動とされた施錠子２６が設けられている。貫通孔２２は、半径方向内側に向かってテーパがつけられており、施錠子２６が連結用孔１８内に落ちないようにしてある。
雌型本体の周囲にはスリーブ２８が当該雌型本体の軸線方向で可動とされて、（図示のように）上記施錠子２６を上記半径方向内側位置に押圧する第1の位置と、該位置よりも左方の位置で、施錠子２６を半径方向で押圧するのを解除して同施錠子が上記半径方向外側位置となるのを許容する第2の位置との間で可動とされている。図示の例では、圧縮バネ３０が当該スリーブ２８を右方へ付勢しており、ストップリング３２により係合されて上記第１の位置とされており、第２の位置とするには、該バネ３０に抗して左方へ動かすようになっている。
【０００８】
上記開閉弁１６は、流体通路２０内に形成された弁座３４と、該弁座に係合・係合解除されて当該開閉弁の開閉を行う弁体３６と、該弁体を弁座３４に押圧するよう付勢するバネ３８とを有している。本実施の形態においては、弁座３４は、環状のパッキンを流体通路２０の内壁面上に設定することにより形成している。
【０００９】
雄型継手部材１４は、スリーブ２８が上記第2の位置（施錠子２６を半径方向内方へ押圧しない位置）にあるときに、上記雌型継手部材１２の上記連結用孔１８に対する挿入、引抜ができるようにされている。当該雄型継手部材１４が上記連結用孔内に挿入されて上記スリーブ２８が図示の第1の位置とされたときに、上記半径方向内側位置とされる施錠子２６を受け入れ、当該雄型継手部材１４が雌型継手部材１２の連結用孔１８から抜け出ないようにする係合凹部４０を有している。該係合凹部４０は、当該雄型継手部材１４の軸線方向に所定距離だけ伸び、上記施錠子２６を係合凹部４０に受け入れた状態で、当該雄型継手部材１４が同軸線方向に移動し、開閉弁１６を開く開放位置と、同弁が閉じられるようにする閉止位置との間で可動とされている。図示の例では、係合凹部４０は、環状に形成されているが、周方向で所定間隔離して複数も受けられる施錠子２６に対応して同数だけ設けられた軸線方向に延びる溝状のものとすることもできる。
【００１０】
以上の説明から分かるように、図１に示す状態にある雄型継手部材１４を雌型継手部材１２に挿入するには、スリーブ２８をバネ３０に抗して上記第２の位置（図に示されるよりも左方の位置）に動かし、該スリーブ２８による半径方向内方への押圧を無くす。この状態で、雄型継手部材１４を雌型継手部材１２の連結用孔１８内に挿入し、その状態でスリーブ２８を放すと、該スリーブはバネ３０により右方へ動かされて図示の位置（すなわち、第1の位置）となり、施錠子２６を半径方向内方へ押圧する。この状態で、該施錠子２６は、雄型継手部材１４の係合凹部４０によって受け入れられ、雄型継手部材１４が雌型継手部材１２から抜け出るのを阻止する。
【００１１】
この状態では、開閉弁１６は閉止状態にある。そこで雄型継手部材１４を雌型継手部材１２に対して相対的に左方へ動かせば、同開閉弁の弁体３６は弁座３４から離れ、当該開閉弁が開放状態となり、該管継手１０を通しての流体の流れが可能となる。
作業者が、雄型継手部材１４を離せば、該雄型継手部材１４は開閉弁１６のバネ３８の作用により右方へ動かされ、弁体３６が弁座３４に係合して、同開閉弁１６を閉止状態とする。
【００１２】
図２及び図３は、本発明に係る管継手１０を、ホルモン焼きなどで食される腸Ｏ内の洗浄等に使用した場合を示している。すなわち、雄型継手部材１４に螺合したノズル管Ｎを腸Ｏの端部に挿入した状態を示しており、図３に示すように雄型継手部材１４を左方に動かすことにより、開閉弁１６を開放して、腸内に洗浄液を通すようにしている。
【００１３】
本発明を斯様な使用に供するときには、定期的に雌型継手部材１２及び雄型継手部材１４の連結を解除して、内部の洗浄を行うが、連結解除を行うには、スリーブ２８を図示の位置から左方に動かすだけで簡単に行うことができる。また、当該管継手を通す腸洗浄用などの液体を変更する場合に、その液体に適した配管に容易に変更することができる。
【図面の簡単な説明】
【００１４】
【図１】本発明に係る管継手の雌型継手部材及び雄型継手部材が分離されている状態を示す側面図である。
【図２】同管継手の雌型継手部材及び雄型継手部材を連結して、腸詰め用の腸内部の洗浄を行うために使用している状態を示し、該管継手の開閉弁が閉止状態にあることを示す部分断面側面図である。
【図３】図２の管継手において、開閉弁が開放状態とされたことを示す部分断面側面図である。
【符号の説明】
【００１５】
１０        管継手
１２        雌型継手部材
１４        雄型継手部材
１６        開閉弁
１８        連結用孔
２０        流体通路
２２        貫通孔
２６        施錠子
２８        スリーブ
３０        バネ
３２        ストップリング
３４        弁座
３６        弁体
３８        バネ
４０        係合凹部
Ｈ          ホース
Ｎ          ノズル
Ｏ          腸
【図１】
2005024085.tif 000003
【図２】
2005024085.tif 000004
【図３】
2005024085.tif 000005